(57)【特許請求の範囲】
【請求項１】
課金装置が接続可能な画像処理装置において、
ジョブが終了したことに応じて、前記課金装置の接続状態を判定する接続判定手段と、前記接続判定手段により前記課金装置が接続されていると判定され、かつ前記課金装置が課金するモードである場合、前記課金装置の投入金額を取得し、投入金額の残金額に応じて、画面遷移先を決定する決定手段とを有し、
前記接続判定手段により前記課金装置が接続されていないと判定された場合、ジョブ終了画面へ遷移することを特徴とする画像処理装置。
【請求項２】
前記決定手段は、前記課金装置から取得した投入金額の残金額が有る場合、ジョブの実行開始を指示するための画面へ遷移し、前記課金装置から取得した投入金額の残金額が無い場合、前記ジョブ終了画面へ遷移することを特徴とする請求項１に記載の画像処理装置。
【請求項３】
前記ジョブが正常に終了しなかったと判定された場合、エラー画面へ遷移することを特徴とする請求項１または２に記載の画像処理装置。
【請求項４】
前記接続判定手段により、前記課金装置が接続されていると判定された場合、前記課金装置が課金するモードになっているか判定するモード判定手段を備える
ことを特徴とする請求項１乃至３のいずれか一項に記載の画像処理装置。
【請求項５】
前記モード判定手段により、前記課金装置が課金するモードになっていないと判定された場合、前記ジョブ終了画面へ遷移することを特徴とする請求項４に記載の画像処理装置。
【請求項６】
前記ジョブは、コピージョブであることを特徴とする請求項１乃至５のいずれか一項に記載の画像処理装置。
【請求項７】
課金装置が接続可能な画像処理装置の制御方法において、
ジョブが終了したことに応じて、前記課金装置の接続状態を判定する接続判定ステップと、
前記接続判定ステップにより前記課金装置が接続されていると判定され、かつ前記課金装置が課金するモードである場合、前記課金装置の投入金額を取得し、投入金額の残金額に応じて、画面遷移先を決定する決定ステップとを含み、
前記接続判定ステップにおいて前記課金装置が接続されていないと判定された場合、ジョブ終了画面へ遷移することを特徴とする制御方法。
【請求項８】
画像処理装置に、請求項７に記載の制御方法を実行させるためのプログラム。
【発明の詳細な説明】
【技術分野】
【０００１】
本発明は、画像処理装置、画像処理装置の制御方法、及びプログラムに関する。
【背景技術】
【０００２】
従来の課金装置が接続された画像処理装置には、ジョブ終了時に動作選択画面へ遷移し、残金額に応じて、選択画面の選択項目を切り替えるものがある（特許文献１参照）。
【先行技術文献】
【特許文献】
【０００３】
【特許文献１】特開２００４−１２６２１２号公報
【発明の概要】
【発明が解決しようとする課題】
【０００４】
特許文献１が開示する画像処理装置は、ユーザが継続してジョブ投入を行いたい場合、ジョブ終了後に毎回、選択項目を選択する手間がかかり、ユーザの利便性が高くない。加えて、課金装置の接続有無や課金モードの状態を判断せずに残金額の有無の判断結果に応じて画面遷移処理をしているため、使い勝手が良くない。
本発明は、ジョブ終了時の残金額および課金装置の接続状況および課金モードに応じて、ジョブ終了時の画面遷移先を切り替えることができる画像処理装置の提供を目的とする。
【課題を解決するための手段】
【０００５】
本発明の画像処理装置は、ジョブが終了したことに応じて、前記課金装置の接続状態を判定する接続判定手段と、前記接続判定手段により前記課金装置が接続されていると判定され、かつ前記課金装置が課金するモードである場合、前記課金装置の投入金額を取得し、投入金額の残金額に応じて、画面遷移先を決定する決定手段とを有し、前記接続判定手段により前記課金装置が接続されていないと判定された場合、ジョブ終了画面へ遷移することを特徴とする。
【発明の効果】
【０００６】
本発明によれば、ジョブ終了時に残金額がある場合は、少ない画面操作でジョブ投入が可能な状態の画面へ遷移することで、ユーザは手間をかけずに次のジョブ投入を指示することが可能となる。そして、ジョブ終了時に残金額がない場合は、ジョブを続けるかジョブを終了するかの選択を可能とする画面へ遷移することで、ジョブを続けたいユーザおよびジョブを終了したいユーザに対しても有効である。加えて、課金装置の接続状態および課金モードに基づくことで、より正確な情報で画面遷移をすることが可能となり、使い勝手が向上する。
【図面の簡単な説明】
【０００７】
【図１】本実施形態の画像処理装置のハードウェア構成例を示す図である。
【図２】画像処理装置のディスプレイに表示される画面例を示す図である。
【図３】コピージョブを実行し画面遷移する一連の処理を示すフローチャートである。
【発明を実施するための形態】
【０００８】
以下、本発明を実施するための形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【０００９】
図１は、本実施形態の画像処理装置のハードウェア構成例を示す図である。図１では、画像処理装置として、ＭＦＰ（Ｍｕｌｔｉ  Ｆｕｎｃｔｉｏｎ  Ｐｅｒｉｐｈｅｒａｌ）を例にとって説明する。ＭＦＰ１０１は、ＣＰＵ１１１乃至プリンタ１２２を備える。ＣＰＵ１１１、ＲＡＭ１１２、ＲＯＭ１１３、入力部１１４、表示制御部１１５、外部メモリＩ／Ｆ１１６、通信Ｉ／Ｆコントローラ１１７は、システムバス１１０に接続されている。また、タッチパネル１１８、ディスプレイ１１９、外部メモリ１２０が、システムバス１１０に接続されている。各処理部は、システムバス１１０を介して互いにデータのやりとりを行うことができるように構成されている。ＣＰＵ１１１、ＲＡＭ１１２、及びＲＯＭ１１３はそれぞれ、Ｃｅｎｔｒａｌ  Ｐｒｏｃｅｓｓｉｎｇ  Ｕｎｉｔ、Ｒａｎｄｏｍ  Ａｃｃｅｓｓ  Ｍｅｍｏｒｙ、Ｒｅａｄ  Ｏｎｌｙ  Ｍｅｍｏｒｙの略称である。
【００１０】
ＲＯＭ１１３は、不揮発性のメモリであり、画像データやその他のデータ、ＣＰＵ１１１が動作するための各種プログラムなどが、それぞれ所定の領域に格納される。ＲＡＭ１１２は、揮発性のメモリであり、ＣＰＵ１１１の主メモリ、ワークエリア等の一時記憶領域として用いられる。ＣＰＵ１１１は、例えばＲＯＭ１１３に格納されるプログラムに従い、ＲＡＭ１１２をワークメモリとして用いて、このＭＦＰ１０１の各部を制御する。なお、ＣＰＵ１１１が動作するためのプログラムは、ＲＯＭ１１３に限らず、外部メモリ（ハードディスク等）１２０に予め記憶しておいてもよい。
【００１１】
入力部１１４は、ユーザ操作を受け付け、操作に応じた制御信号を生成し、ＣＰＵ１１１に供給する。例えば、入力部１１４は、入力デバイスとして機能するキーボード（不図示）や、マウス（不図示）やタッチパネル１１８からユーザ操作を受付ける。なお、タッチパネル１１８は、例えば平面的に構成された入力部に対して接触された位置に応じた座標情報が出力されるようにした入力デバイスである。ＣＰＵ１１１は、入力デバイスに対してなされたユーザ操作に応じて入力部１１４で生成され供給される制御信号に基づき、プログラムに従いこのＭＦＰ１０１の各部を制御する。これにより、ＭＦＰ１０１はユーザ操作に応じた動作を行うことができる。
【００１２】
表示制御部１１５は、ディスプレイ１１９に対して画像を表示させるための表示信号を出力する。例えば、ＣＰＵ１１１は、プログラムに従い生成した表示制御信号を表示制御部１１５に供給する。表示制御部１１５は、この表示制御信号に基づき表示信号を生成してディスプレイ１１９に対して出力する。例えば、表示制御部１１５は、ＣＰＵ１１１が生成する表示制御信号に基づき、ＧＵＩ（Ｇｒａｐｈｉｃａｌ  Ｕｓｅｒ  Ｉｎｔｅｒｆａｃｅ）を構成するＧＵＩ画面をディスプレイ１１９に表示させる。
【００１３】
なお、タッチパネル１１８はディスプレイ１１９と一体的に構成され、操作部としても機能する。例えば、製造者は、タッチパネル１１８を光の透過率がディスプレイ１１９の表示を妨げないように構成し、ディスプレイ１１９の表示面の上層に取り付ける。そして、製造者は、タッチパネル１１８における入力座標と、ディスプレイ１１９上の表示座標とを対応付ける。これにより、ユーザがディスプレイ１１９上に表示された画面を直接的に操作できるＧＵＩが構成される。
【００１４】
外部メモリＩ／Ｆ１１６は、例えばハードディスクやフロッピー（登録商標）ディスク、又はＣＤやＤＶＤ、メモリーカード等の外部メモリ１２０が装着可能である。外部メモリＩ／Ｆ１１６は、ＣＰＵ１１１の制御に基づき、装着された外部メモリ１２０からデータを読み出し、外部メモリ１２０にデータを書き込む。通信Ｉ／Ｆコントローラ１１７は、ＣＰＵ１１１の制御に基づき、例えばＬＡＮやインターネット、有線、無線等の各種ネットワーク１０２に対する通信を行う。ネットワーク１０２には、課金装置１２３やＰＣや他のＭＦＰ、プリンタ、サーバ等、様々な装置がＭＦＰ１０１と通信可能に接続される。
【００１５】
なお、ＭＦＰ１０１と接続可能な課金装置１２３からはネットワーク１０２を介して、単価情報や投入金額や不足金額などの情報を取得できる。
【００１６】
スキャナ１２１は原稿を読み取り、画像データを生成する。プリンタ１２２は、入力部１１４を介して入力されたユーザの指示や通信Ｉ／Ｆコントローラ１１７を介して外部装置から入力されたコマンドに基づいて、印刷処理を実行する。
【００１７】
次に、課金コピー機能について説明する。本実施形態において、課金コピー機能とは、課金装置１２３とＭＦＰ１０１を接続し、原稿のコピーを行う際に、課金する機能である。ユーザが課金装置１２３に対して貨幣を投入することにより、ＭＦＰ１０１のタッチパネル１１８からコピーの設定およびコピーのジョブ投入開始指示が可能となる。
【００１８】
ユーザが貨幣を投入すると、課金装置１２３から投入金額がネットワーク１０２を通して通知される。通知された投入金額が０円より大きければ、タッチパネル１１８上でコピーの設定をすることが可能となる。ユーザが所望のコピー設定を行い、タッチパネル１１８上でコピージョブの開始を指示すると、金額の計算を行い、コピージョブ実行可否を判断する。ユーザが設定したコピー設定と、課金装置１２３から取得した単価情報を元に、コピージョブ実行に必要な総額を計算する。そして、ユーザが投入した金額と総額の差分を計算し、金額の不足が無ければ、所定のコピージョブを実行する。金額が不足している場合は、不足金額をタッチパネル１１８上に表示し、ユーザに貨幣の追加投入を促す。コピージョブが正常に実行したら、課金装置１２３に対して金額徴収指示を行う。
【００１９】
ＭＦＰ１０１が、フィーダオプションを備えていない構成で、連続コピー機能を有していない場合、原稿１ページ毎に１回ジョブ投入を行うことになる。フィーダオプション構成であっても、本のようなフィーダに設置できない原稿のコピーを行う際は、圧板に原稿を置いて１ページ毎に１回ジョブ投入を行うことになる。
【００２０】
図２は、ＭＦＰ１０１のディスプレイ１１９に表示されたコピー画面を示す画面例である。図２（Ａ）に示すコピー開始画面２０１は、コピージョブの実行開始を行うための画面であり、コピーの色選択ボタン２０２、コピー部数表示エリア２０３、設定やり直しボタン２０４、コピー開始ボタン２０５を含む。コピーの色選択ボタン２０２は、設定されているコピーの色の設定値を示し、コピーの色設定を変更するためのボタンである。図２では、例として、コピーの色としてフルカラーが設定されている。コピー開始ボタン２０５に、コピーの色の設定値であるフルカラーを表示する。ユーザがこのボタンを押下することによって、ＣＰＵ１１１はコピーの色を選択する画面へ画面遷移させる。コピー部数表示エリア２０３は、設定されている部数の設定値を示すためのエリアである。ＣＰＵ１１１は入力部１１４を介してユーザから数値の入力を受け付けると、受け付けた値に応じて部数の設定値を更新し、コピー部数表示エリア２０３の表示を更新する。設定やり直しボタン２０４は、設定されている内容を取り消すためのボタンである。ユーザがこのボタンを押下することによって、ＣＰＵ１１１はコピージョブとして設定されている値を初期値に戻す。コピー開始ボタン２０５は、コピージョブの実行開始を指示するためのボタンである。ユーザがこのボタンを押下することによって、ＣＰＵ１１１はコピージョブの実行可否を判断し、実行可能と判断した場合はコピージョブの実行を開始する。コピー開始画面２０１では、ユーザが課金装置１２３の貨幣返却レバーを押下したことがネットワーク１０２を介して通知され、検知可能である。貨幣返却レバーの押下を検知すると、課金装置１２３は投入していた貨幣を返却するとともに、ＣＰＵ１１１は忘れ物注意画面（不図示）へ遷移する。
【００２１】
図２（Ｂ）に示すコピー実行中画面２０６は、コピー実行中であることを示すための画面であり、中止ボタン２０７を含む。中止ボタン２０７は、実行中のコピージョブを中止するためのボタンである。ユーザがこのボタンを押下することによって、ＣＰＵ１１１はコピージョブの中止処理を開始する。
【００２２】
図２（Ｃ）に示すコピー終了画面２０８は、コピージョブの終了を行うための画面であり、同設定コピーボタン２０９と、新設定コピーボタン２１０と、終了ボタン２１１を含む。
【００２３】
同設定コピーボタン２０９は、コピージョブの設定を保持したまま、同じ設定で再度コピーさせるためのボタンである。ユーザがこのボタンを押下することによって、ＣＰＵ１１１は、現在の設定値を保持したまま、コピー開始画面２０１へ遷移する。コピー終了画面２０８にてユーザが貨幣を投入するなどによって残金額がある場合は、同設定コピーボタン２０９は押下可能とし、残金額が無い場合は、同設定コピーボタン２０９は押下不可とする。
【００２４】
新設定コピーボタン２１０は、コピージョブの設定を破棄して、コピーの設定を再度やり直してコピーさせるためのボタンである。ユーザがこのボタンを押下することによって、ＣＰＵ１１１は、現在の設定値を破棄して、コピー設定画面（不図示）へ遷移する。コピー終了画面２０８にてユーザが貨幣を投入するなどによって残金額がある場合は、新設定コピーボタン２１０を押下可能とし、残金額が無い場合は、新設定コピーボタン２１０を押下不可とする。
【００２５】
終了ボタン２１１は、ユーザにコピーの終了を指示させるためのボタンである。ユーザがこのボタンを押下することによって、ＣＰＵ１１１は、現在の設定値を破棄して、忘れ物中止画面（不図示）へ遷移する。
【００２６】
次に、コピージョブを実行し画面遷移する一連の処理について図３のフローチャートを用いて詳細に説明する。
【００２７】
図３の各ステップは、ＭＦＰ１０１のＣＰＵ１１１がプログラムを実行することによって処理される。実行されるプログラムは、ＲＯＭ１１３や外部メモリ１２０等のメモリに格納されており、ＲＡＭ１１２に展開されて実行される。
【００２８】
Ｓ３０１において、ＣＰＵ１１１は、コピー開始画面２０１に表示しているコピー開始ボタン２０５が押下されたことを検出し、コピージョブの実行を開始する。
【００２９】
Ｓ３０２において、ＣＰＵ１１１は、ジョブのステータスを監視し、ジョブが終了したか否かを判定する。ジョブが終了したと判定した場合、Ｓ３０３へ進む。ジョブが終了していないと判定した場合は、処理を繰り返し、ジョブのステータスの監視を継続する。
【００３０】
Ｓ３０３において、ＣＰＵ１１１は、ジョブが正常終了したか否か判定する。ジョブが正常終了したと判定した場合は、Ｓ３０４へ進む。メモリ不足や別ジョブが実行中などの理由によりジョブが正常終了しなかったと判定した場合は、Ｓ３１０へ進む。
【００３１】
Ｓ３０４において、ＣＰＵ１１１は、タイマーを起動し、タイマーで予め定義した時間が経過したか否かを判定する。予め定義した時間が経過したと判定した場合、Ｓ３０５へ進む。予め定義した時間が経過していないと判定した場合は、時間が経過するまで処理を繰り返して待つ。
【００３２】
Ｓ３０５において、ＣＰＵ１１１は、課金装置１２３が接続されているか否かの接続状態を判定する（接続判定）。課金装置１２３とＭＦＰ１０１が未接続な状態になる場合や、課金装置１２３の電源が切断された場合は、接続されていない状態となる。接続されていると判定した場合は、処理はＳ３０６へ進む。接続されていないと判定した場合は、処理はＳ３０９へ進む。
【００３３】
Ｓ３０６において、ＣＰＵ１１１は、課金装置１２３の状態が課金モードになっているか否かを判定する（モード判定）。課金装置１２３の状態には課金モードと非課金モードがあり、課金モードとは課金してコピーするモードであり、非課金モードとは課金せずにコピーするモードである。管理者や特定のユーザが非課金モードに状態を設定して利用するためのものである課金装置１２３から取得した状態が課金モードであると判定した場合、処理はＳ３０７へ進む。課金モードではないと判定した場合、処理はＳ３０９へ進む。
【００３４】
Ｓ３０７において、ＣＰＵ１１１は、課金装置１２３に投入されている残金額があるか否かを判定する。ＣＰＵ１１１はネットワーク１０２を介して、課金装置１２３に投入されている金額を取得する。ジョブ開始時にユーザが課金装置１２３に投入した金額とジョブを実行するのに必要な金額が同じだった場合、取得した金額は０円となる。ユーザが課金装置１２３に投入した金額が、ジョブを実行するのに必要な金額より多い場合は、取得した金額は０円より多くなる。取得した残金額が０円より多いと判定した場合、残金額が有るとしてＳ３０８へ進む。取得した金額が０円であると判定した場合、残金額が無いとしてＳ３０９へ進む。すなわち、投入金額の残金額に応じて、画面遷移先が決定する。
【００３５】
Ｓ３０８において、ＣＰＵ１１１は、ディスプレイ１１９上に現在表示している画面からコピー開始画面２０１へ画面を遷移させる。
【００３６】
Ｓ３０９において、ＣＰＵ１１１は、ディスプレイ１１９上に現在表示している画面からコピー終了画面２０８へ画面を遷移させる。
【００３７】
Ｓ３１０において、ＣＰＵ１１１は、ディスプレイ１１９上に現在表示している画面からエラー画面（不図示）へ画面を遷移させる。
【００３８】
以上のように、本実施形態によれば、ユーザがコピージョブを連続して実行したい場合は、ジョブ終了時にコピー開始画面２０１へ遷移させることが可能となる。ジョブ終了時に残金額が０円にならないように課金装置１２３に十分な貨幣を投入しておけば、コピー開始画面２０１へ遷移することになる。
【００３９】
さらに、ＣＰＵ１１１は、課金装置１２３が接続されていないのに、残金額情報をみて残金額がある判定してコピー開始画面２０１へ画面遷移するのを防止できる。また、課金装置１２３の状態が非課金モードになっているのに、残金額情報をみて残金額があると判定してコピー開始画面２０１へ画面遷移するのを防止できる。
【００４０】
上記実施形態の説明では、本発明を実施する装置の一例としてＭＦＰとしたが、本発明を実施する装置は、ＭＦＰに限定されるものではない。即ち、ＭＦＰに限らず、印刷装置やスキャナ、ＦＡＸ、デジタルカメラ等の画像形成装置や、ＰＣや携帯情報端末等の情報処理装置を含む、少なくとも画像データを処理することができる画像処理装置に本発明は適用可能である。
【００４１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0006736346.tif 000002
【図２】
0006736346.tif 000003
【図３】
0006736346.tif 000004